【事件の表示】
　特許第３４４６４７４号「撮像及び画像表示装置」の請求項１ないし４、６、７に係る特許に対する特許異議の申立てについて、次のとおり決定する。
【結　論】
　訂正を認める。
　特許第３４４６４７４号の訂正された請求項１ないし５に係る特許を維持する。
【理　由】
第１　手続きの経緯
　特許第３４４６４７４号の請求項１ないし７に係る発明についての出願は、平成８年５月１６日に特許出願され、平成１５年７月４日に設定登録され、その後、その特許について異議申立人、戸叶孝一から請求項１ないし４、６及び７について特許異議の申立てがなされ、取消理由通知がなされ、その指定期間内である平成１６年１０月２８日に訂正請求がされたものである。
　
第２　訂正の適否についての判断
１　訂正事項
　平成１６年１０月２８日付け訂正請求によって特許権者が求めている訂正の内容は以下のとおりである。
(１)　請求項１を、請求項４に記載された事項と、請求項５に記載された事項とを追加要件として加えて、次のとおり訂正する。
　「【請求項１】「本体部に取り付けられた光学系を通じて得られる被写体像に応じた撮像信号を発生する撮像信号発生部、及び、該撮像信号発生部から得られる撮像信号に基づいて映像信号を得る撮像信号処理部が、上記本体部内に配されて成る映像信号形成部と、
　該映像信号形成部の本体部の姿勢に応じた第１の姿勢情報信号を得る第１の姿勢検出部と、
　上記映像信号形成部から得られる映像信号に基づく画像を再生表示する画像表示部と、
　該画像表示部の姿勢に応じた第２の姿勢情報信号を得る第２の姿勢検出部と、
　上記映像信号形成部から得られる映像信号に、上記第１の姿勢情報信号及び第２の姿勢情報信号に応じた補正を加える映像信号補正処理部と、
　上記第１の姿勢情報信号に基づく第１の画像制御信号を形成する第１の画像制御信号形成部と、
　上記第２の姿勢情報信号に基づく第２の画像制御信号を形成する第２の画像制御信号形成部と、
　上記第１の画像制御信号と第２の画像制御信号とを合成して上記映像信号補正処理部に供給する合成部と、
　上記映像信号補正処理部から得られる補正された映像信号を上記画像表示部に供給する状態をとる映像信号供給部と、
を備えて構成される撮像及び画像表示装置。」
(２)　 請求項３の記載を次のとおり訂正する。
　「【請求項３】映像信号形成部から得られる映像信号と第１の姿勢検出部から得られる第１の姿勢情報信号とについての書込み及び読出しが行われるメモリ部が備えられ、映像信号補正処理部において、上記メモリ部から読み出された映像信号に、合成部により合成された第１の画像制御信号と第２の画像制御信号とに応じた補正が加えられることを特徴とする請求項１または２記載の撮像及び画像表示装置。」
(３)　【請求項４】及び【請求項５】を削除する。
(４)　【請求項６】を【請求項４】と訂正する。
(５)　【請求項７】を【請求項５】とし、「請求項６記載の」を、「請求項４記載の」と訂正する。
(６) 本件特許の明細書における【発明の詳細な説明】の段落【０００８】、【０００９】及び【００４７】を全文訂正明細書のとおり訂正する。
　
２　訂正事項について
(１)　訂正事項(１)は、本件特許の明細書における特許請求の範囲について、請求項１を、請求項４に記載されていた事項と請求項５に記載されていた事項とを追加要件として加えたものであるから、特許請求の範囲の減縮に該当する。
　見方を替えれば、訂正前の請求項５は請求項４を引用し、更に請求項４は請求項１を引用していたものであるから、訂正事項(１)は、実質的に請求項５を書き改めたものであるから明りょうでない記載の釈明ともいえる。
　そして、該訂正は、新規事項の追加に該当せず、実質上特許請求の範囲を拡張し又は変更するものでもない。
　さらに、請求項５については、特許異議申立の対象となっておらず、当該訂正を特許請求の範囲の減縮とみた場合、後記するように独立して特許を受けることができるものである。
　
(２) 　訂正事項(２)ないし(５)は、訂正された【請求項１】に整合させるためになされた訂正であり、明りょうでない記載の釈明に該当する。
　そして、これらの訂正は、実質上特許請求の範囲を拡張し又は変更するものでもない。
　
(３)　訂正事項(６)は、特許請求の範囲の訂正と整合をとるために必要となる訂正であるから、明りょうでない記載の釈明を目的とするものであり、実質上特許請求の範囲を拡張し又は変更するものではない。
　
３　むすび
　よって、上記訂正は、特許法第１２０条の４第２項の規定及び同条第３項で準用する１２６条２項から４項までの規定に適合するので、当該訂正を認める。
　
第３　特許異議の申し立てについて
１　本件発明
　上記第２に記載したとおり、訂正請求は認められるところとなったので、本件発明は、同訂正請求書に添付した訂正明細書の、特許請求の範囲の請求項１ないし５（以下、「本件発明１」などという。）に記載された事項により特定されるとおりのものである。
　
２　申立の概要
　特許異議申立人は特許異議の申立て時に、証拠として
　　甲第１号証：特開昭５９―１２３３８６号公報
　　甲第２号証：特開平　３―　３７８８７号公報
　　甲第３号証：特開昭６２―　３５３２９号公報
　　甲第４号証：特公平　４−　１２６７３号公報
を提出し、本件訂正前の請求項５を除く各発明は、甲第１ないし４号証に基づき当業者が容易に発明をすることができたものであるから特許法２９条２項の規定に該当し、取り消されるべきものである旨主張している。
　
３　当審の判断
　本件発明１は前述のとおり、訂正請求により、異議申立のされていない訂正前の請求項５の内容をすべて含むものとなった。
　また、他の訂正された請求項２ないし５の発明も、異議申立のされていない訂正前の請求項５の内容をすべて含むものである。
　そして、特許異議申立人が提出した甲第１ないし４号証に記載された発明には、本件発明１ないし５が備えている、映像信号形成部と画像表示部から得られる「第１の画像制御信号と第２の画像制御信号とを合成して上記映像信号補正処理部に供給する合成部」の構成は示されておらず、それを示唆する記載もない。
　
　したがって、訂正された本件各発明は甲第１ないし４号証記載の発明から、当業者が容易に発明をすることができたこととはいえない。
　　
第４　むすび
　以上のとおりであるから、特許異議の申立ての理由及び証拠によっては、訂正された本件発明に係る特許を取り消すことはできない。
　また、他に訂正された本件発明の特許を取り消すべき理由を発見しない。
　よって、結論のとおり審決する。
【異議決定日】
平成１６年１１月２４日（２００４．１１．２４）
【訂正の要旨】
審決（決定）の【理由】欄参照。
（５４）【発明の名称】
撮像及び画像表示装置
（５７）【特許請求の範囲】
　【請求項１】本体部に取り付けられた光学系を通じて得られる被写体像に応じた撮像信号を発生する撮像信号発生部、及び、該撮像信号発生部から得られる撮像信号に基づいて映像信号を得る撮像信号処理部が、上記本体部内に配されて成る映像信号形成部と、
　該映像信号形成部の本体部の姿勢に応じた第１の姿勢情報信号を得る第１の姿勢検出部と、
　上記映像信号形成部から得られる映像信号に基づく画像を再生表示する画像表示部と、
　該画像表示部の姿勢に応じた第２の姿勢情報信号を得る第２の姿勢検出部と、
　上記映像信号形成部から得られる映像信号に、上記第１の姿勢情報信号及び第２の姿勢情報信号に応じた補正を加える映像信号補正処理部と、
　
上記第１の姿勢情報信号に基づく第１の画像制御信号を形成する第１の画像制御信号形成部と、
　
上記第２の姿勢情報信号に基づく第２の画像制御信号を形成する第２の画像制御信号形成部と、
　
上記第１の画像制御信号と第２の画像制御信号とを合成して上記映像信号補正処理部に供給する合成部と、
　
上記
を備えて構成される撮像及び画像表示装置。
　【請求項２】映像信号供給部が、映像信号形成部から得られる映像信号と映像信号補正処理部から得られる補正された映像信号とを選択的に画像表示部に供給することを特徴とする請求項１記載の撮像及び画像表示装置。
　【請求項３】映像信号形成部から得られる映像信号と第１の姿勢検出部から得られる第１の姿勢情報信号とについての書込み及び読出しが行われるメモリ部が備えられ、映像信号補正処理部において、上記メモリ部から読み出された映像信号に、
合成部により合成された第１の画像制御信号と第２の画像制御信号と
　【請求項４】第１の姿勢検出部
が、映像信号形成部の本体部についての基準姿勢に対する回転方向及び回転量を検出し、検出された回転方向及び回転量に基づいて第１の姿勢情報信号を形成し、第２の姿勢検出部が、画像表示部についての基準姿勢に対する回転方向及び回転量を検出し、検出された回転方向及び回転量に基づいて第２の姿勢情報信号を形成する
１
　【請求項５】
映像信号補正処理部において映像信号に加えられる第１の姿勢情報信号及び第２の姿勢情報信号に応じた補正が、上記映像信号があらわす被写体像を、上記第１の姿勢情報信号があらわす映像信号形成部の本体部の姿勢及び上記第２の姿勢情報信号があらわす画像表示部の姿勢に応じて回転させることになるものとされる
【発明の詳細な説明】
　【０００１】
　【発明の属する技術分野】
　本発明は、被写体に向けられた光学系を通じて得られる被写体像に応じた撮像信号を発生して、その撮像信号に基づく映像信号を形成し、さらに、得られた映像信号に基づく画像を再生表示する撮像及び画像表示装置に関する。
　【０００２】
　【従来の技術】
　被写体に応じた撮像信号を発生し、その撮像信号に基づいて、例えば、カラー映像信号等の映像信号を形成する撮像装置（ビデオカメラ）は、通常、光学系が取り付けられた本体部を伴い、光学系を通じて得られる被写体像に応じた撮像信号を発生する撮像信号発生部が、本体部に対して固定されたものとされる。そして、撮像装置が実際に使用される際には、その本体部が使用者あるいは支持台によって略一定の姿勢をとるように構えられる。例えば、瞬時々々における撮像範囲が長方形とされる撮像枠によって規定されるとして、撮像装置の本体部は、その撮像枠の長辺方向が横方向，縦方向あるいは横方向と縦方向との間の斜め方向とされることになる姿勢をとるものとされる。
　【０００３】
　撮像装置が実際に撮像動作を行うにあたってその撮像装置の本体部が様々な姿勢をとるものとされるのは、いろいろな撮像状況のもとで、撮像装置の本体部が、その時々に応じて、その使用者あるいはそれに対する支持台にとって支持し易い状態あるいは安定に支持できる状態におかれることが主たる理由である。即ち、撮像装置が実際に撮像動作を行うものとされるにあたっては、多くの場合、その撮像装置の本体部は、その前面側に設けられた光学系が被写体に向けられ、その背面側から使用者がビュー・ファインダ部を覗くものとされるようにして、使用者あるいは支持台によって支持されるが、その際、例えば、撮像枠の長辺方向が横方向とされる姿勢をとるときが最も安定に支持される状態とされ、その撮像枠の長辺方向が横方向とされる姿勢をとるものとされることが多いが、状況によっては、撮像枠の長辺方向が横方向以外の方向とされる姿勢をとるものとされるのである。
　【０００４】
　【発明が解決しようとする課題】
　このような撮像装置の本体部にあっては、その前面側に設けられた光学系が被写体に向けられたもとで、例えば、撮像枠の長辺方向が横方向とされる姿勢が基準姿勢とされ、光学系が被写体に向けられたもとでとられる、撮像枠の長辺方向が縦方向とされる姿勢を含む他の姿勢が、基準姿勢に対して時計回り方向あるいは反時計回り方向に回転した姿勢とされる。そして、撮像装置がその本体部が基準姿勢をとるもとで撮像動作を行う場合と、その本体部が回転した姿勢をとるもとで撮像動作を行う場合とでは、各々の場合に形成される映像信号の内容に差が生じることになる。
　【０００５】
　即ち、撮像装置により形成された映像信号は画像表示部に供給され、その画像表示部において映像信号があらわす画像が再生表示されることになるが、画像表示部がその姿勢を変化させない状態におかれているとして、撮像装置がその本体部が基準姿勢をとるもとで撮像動作を行って形成する映像信号に基づき、画像表示部において再生表示される画像に対し、撮像装置がその本体部が回転した姿勢をとるもとで撮像動作を行って形成する映像信号に基づき、画像表示部により再生表示される画像は、回転した姿勢の基準姿勢に対する回転に対応して、時計回りあるいは反時計回りに回転したものとされてしまう。
　【０００６】
　また、撮像装置は、画像表示部を伴って撮像及び画像表示装置を構成し、その撮像及び画像表示装置における映像信号形成部として機能するものとされるが、その際には、映像信号形成部において被写体像をあらわすものとして形成された映像信号に基づき、画像表示部において再生表示される画像は、画像表示部の姿勢に応じた姿勢変化を伴うものとされる。即ち、例えば、画像表示部における画像表示枠が長方形を成すとして、画像表示部は、その画像表示枠の長辺方向が横方向とされる姿勢が基準姿勢とされ、斯かる基準姿勢もしくは画像表示枠が向かう方向が同じとされたもとで基準姿勢に対して回転した姿勢をとる状態におかれるが、画像表示部が基準姿勢をとるもとで映像信号に基づいて再生表示される画像に対し、画像表示部が回転した姿勢をとるもとで映像信号に基づいて再生表示される画像は、回転した姿勢の基準姿勢に対する回転に対応して、時計回りあるいは反時計回りに回転したものとなってしまう。
　【０００７】
　斯かる点に鑑み、本発明は、被写体に向けられた光学系を通じて得られる被写体像に応じた撮像信号を発生して、その撮像信号に基づく映像信号を形成する映像信号形成部と、映像信号形成部から得られる映像信号に基づいた画像を再生表示する画像表示部とを備えたもとにおいて、画像表示部において再生表示される画像を、映像信号形成部の本体部の姿勢変化、さらには、画像表示部の姿勢変化に起因する状態変化を伴わないものとなすことができる撮像及び画像表示装置を提供する。
　【０００８】
　【課題を解決するための手段】
　本発明に係る撮像及び画像表示装置は、本体部に取り付けられた光学系を通じて得られる被写体像に応じた撮像信号を発生する撮像信号発生部、及び、撮像信号発生部から得られる撮像信号に基づいて映像信号を得る撮像信号処理部が、本体部内に配されて成る映像信号形成部と、映像信号形成部から得られる映像信号に基づく画像を再生表示する画像表示部とが備えられたもとで、さらに、映像信号形成部の本体部の姿勢に応じた第１の姿勢情報信号を得る第１の姿勢検出部，画像表示部の姿勢に応じた第２の姿勢情報信号を得る第２の姿勢検出部，映像信号形成部から得られる映像信号に第１の姿勢情報信号及び第２の姿勢情報信号に応じた補正を加える映像信号補正処理部，第１の姿勢情報信号に基づく第１の画像制御信号を形成する第１の画像制御信号形成部，第２の姿勢情報信号に基づく第２の画像制御信号を形成する第２の画像制御信号形成部，第１の画像制御信号と第２の画像制御信号とを合成して映像信号補正処理部に供給する合成部、及び、映像信号補正処理部から得られる補正された映像信号を画像表示部に供給する状態をとる映像信号供給部が設けられて構成される。
　【０００９】
　このように構成される本発明に係る撮像及び画像表示装置にあっては、映像信号形成部によって被写体像をあらわす映像信号が形成されて、画像表示部によってその映像信号に基づく画像が再生表示されるにあたり、第１の姿勢検出部から映像信号形成部の本体部の姿勢に応じた第１の姿勢情報信号が得られるとともに、第２の姿勢検出部から画像表示部の姿勢に応じた第２の姿勢情報信号が得られる。さらに、第１の姿勢情報信号に基づく第１の画像制御信号が得られるとともに第２の姿勢情報信号に基づく第２の画像制御信号が得られ、それら第１の画像制御信号及び第２の画像制御信号が、合成部において合成されて映像信号補正処理部に供給される。そして、映像信号補正処理部において、映像信号形成部によって形成された映像信号に、合成部において合成された第１の画像制御信号及び第２の画像制御信号により、第１及び第２の姿勢情報信号に応じた補正が加えられて、それにより得られる補正された映像信号が映像信号供給部を通じて画像表示部に供給され、画像表示部において、補正された映像信号があらわす画像が再生表示される状態がとられる。
　【００１０】
　斯かる際に、映像信号補正処理部において映像信号に加えられる第１の姿勢情報信号及び第２の姿勢情報信号に応じた補正は、例えば、映像信号形成部の本体部が基準姿勢と基準姿勢に対して回転した姿勢とを選択的にとり、また、画像表示部も基準姿勢と基準姿勢に対して回転した姿勢とを選択的にとるものとされるもとで、映像信号があらわす被写体像を、第１の姿勢情報信号があらわす映像信号形成部の本体部の姿勢及び第２の姿勢情報信号があらわす画像表示部の姿勢に応じて回転させることになるものとされる。その結果、画像表示部において再生表示される画像が、映像信号形成部の本体部の姿勢変化、さらには、画像表示部の姿勢変化に起因する状態変化を伴わないものとされ、例えば、映像信号形成部の本体部及び画像表示部のうちの少なくとも一方が基準姿勢に対して回転した姿勢をとる場合においても、画像表示部において再生表示される画像が、映像信号形成部の本体部及び画像表示部のいずれもが基準姿勢をとる場合と同様の状態にあるものとされる。
　【００１１】
　【発明の実施の形態】
　図２は、本発明に係る撮像及び画像表示装置を構成する映像信号形成部の一例における正面の外観を示す。この例にあっては、映像信号形成部の本体部１１に、例えば、複数のレンズ，絞り機構，フォーカス調整機構等を内蔵した光学系１２が、本体部１１の全面側から外部に突出するものとされて取り付けられており、また、ビュー・ファインダ部１３が、装置の使用者が本体部１１の背面側から覗くことができるものとされて設けられている。さらに、本体部１１には、光学系１２を通じて得られる被写体像に応じた撮像信号を発生する撮像信号発生部１４が設けられているとともに、本体部１１の姿勢に応じた姿勢情報信号を送出する姿勢検出部１５が内蔵されている。
　【００１２】
　斯かる映像信号形成部の例は、その本体部１１が、光学系１２を被写体に向けたもとで、図２に示される如くの、長方形を成すものとされた撮像枠１６の長辺方向を横方向とすることになる基準姿勢に加えて、図３に示される如くの、長方形を成す撮像枠１６の長辺方向を縦方向とすることになる、基準姿勢に対して時計回り方向に９０度だけ回転した姿勢を含む、基準姿勢に対して時計回り方向もしくは反時計回り方向に任意の回転量（回転角）だけ回転した姿勢を選択的にとる状態とされて、被写体についての撮像の用に供される。そして、姿勢検出部１５は、本体部１１がとる基準姿勢及び基準姿勢に対して回転した姿勢を検出し、検出された姿勢に応じた姿勢情報信号を形成する。
　【００１３】
　図４は、本発明に係る撮像及び画像表示装置を映像信号形成部と共に構成する画像表示部の一例における正面の外観を示す。この例は、画像表示部１７を形成しており、画像表示部１７は、例えば、液晶表示パネルによって形成される、長方形を成す平面表示パネル部１８を備えており、また、画像表示部１７の姿勢に応じた姿勢情報信号を送出する姿勢検出部１９を内蔵している。平面表示パネル部１８は、その周縁部分が長方形の画像表示枠１８ａを形成していることになり、その画像表示枠１８ａ内に、図２及び図３に示される映像信号形成部の例から得られる映像信号に基づく画像を再生表示する。
　【００１４】
　斯かる画像表示部１７は、平面表示パネル部１８が向かう方向、従って、長方形の画像表示枠１８ａが向かう方向が同じとされたもとで、図４に示される如くの、長方形を成す画像表示枠１８ａの長辺方向を横方向とすることになる基準姿勢に加えて、図５に示される如くの、長方形を成す画像表示枠１８ａの長辺方向を縦方向とすることになる、基準姿勢に対して反時計回り方向に９０度だけ回転した姿勢を含む、基準姿勢に対して時計回り方向もしくは反時計回り方向に任意の回転量（回転角）だけ回転した姿勢を選択的にとる状態とされて、図２及び図３に示される映像信号形成部の例から得られる映像信号に基づく画像の再生表示の用に供される。そして、姿勢検出部１９は、画像表示部１７がとる基準姿勢及び基準姿勢に対して回転した姿勢を検出し、検出された姿勢に応じた姿勢情報信号を形成する。
　【００１５】
　図１は、図２及び図３に示される如くの外観を有した映像信号形成部の例、及び、図４及び図５に示される如くの外観を有した画像表示部の例を含んで構成される、本発明に係る撮像及び画像表示装置一例の構成を概略的に示す。
　【００１６】
　この図１に示される例にあっては、光学系１２に関連して設けられる撮像信号発生部１４が、固体撮像部２０を内蔵している。固体撮像部２０は、例えば、光学系１２を通じた被写体からの光を受けて光電変換を行う受光部分と、受光部分において得られた信号電荷を転送する、電荷結合素子（チャージ・カップルド・ディバイス：ＣＣＤ）が用いられて形成される電荷転送部分と、電荷転送部分により転送された信号電荷に基づいて撮像出力信号を形成する出力部分とを有して構成されたものとされる。そして、固体撮像部２０から得られる撮像出力信号が、撮像信号発生部１４から、光学系１２を通じて得られる被写体像に応じた撮像信号ＳＩとして導出される。
　【００１７】
　撮像信号発生部１４から送出される撮像信号ＳＩは、自動利得制御部（ＡＧＣ部）２１により増幅されて、アナログ−ディジタル（Ａ／Ｄ）変換部２２に供給される。Ａ／Ｄ変換部２２においては、ＡＧＣ部２１からの撮像信号ＳＩが所定のサンプリング周波数をもってディジタル化され、ディジタル撮像信号ＤＩが形成される。そして、Ａ／Ｄ変換部２２から得られるディジタル撮像信号ＤＩは、撮像信号処理部２３に供給される。
　【００１８】
　撮像信号処理部２３においては、Ａ／Ｄ変換部２２からのディジタル撮像信号ＤＩに対する種々の処理が施され、撮像信号処理部２３から、ディジタルカラー映像信号を形成するディジタル輝度信号ＤＹとディジタル色信号ＤＣとが送出される。ディジタル輝度信号ＤＹは、輝度信号処理部２４において、輪郭補正処理，ガンマ補正処理，同期信号付加処理等を含む各種の処理が施され、ディジタル輝度信号ＤＹＯとされて、メモリ部２５及びディジタル／アナログ（Ｄ／Ａ）変換部２６に供給される。また、ディジタル色信号ＤＣは、色信号処理部２７において、エンコーディング処理等を含む各種の処理が施され、ディジタル色信号ＤＣＯとされて、メモリ部２５及びＤ／Ａ変換部２８に供給される。
　【００１９】
　Ｄ／Ａ変換部２６においては、ディジタル輝度信号ＤＹＯがアナログ化されて、ビュー・ファインダ表示用輝度信号ＳＹＦが形成されて、それがビュー・ファインダ部１３に供給される。一方、Ｄ／Ａ変換部２８においては、ディジタル色信号ＤＣＯがアナログ化されて、ビュー・ファインダ表示用色信号ＳＣＦが形成されて、それがビュー・ファインダ部１３に供給される。ビュー・ファインダ部１３においては、ビュー・ファインダ表示用輝度信号ＳＹＦ及びビュー・ファインダ表示用色信号ＳＣＦに基づく画像再生表示が行われ、撮像信号発生部１４における固体撮像部２０により、撮像枠１６内に納められて撮像された被写体についての再生画像が得られる。
　【００２０】
　また、図１に示される例にあっては、映像信号形成部の本体部１１に内蔵された姿勢検出部１５が、本体部１１に関連して設けられた回転方向検出部３０及び回転量検出部３１を含むものとされている。回転方向検出部３０は、本体部１１が基準姿勢に対して回転した姿勢をとるものとされるとき、本体部１１の回転方向を検出して、検出された回転方向をあらわす検出出力信号ＴＤＲを送出し、また、回転量検出部３１は、基準姿勢に対して回転した姿勢をとるものとされた本体部１１についての、例えば、回転角度をもってあらわされる回転量を検出して、検出された回転量をあらわす検出出力信号ＴＲＲを送出する。回転方向検出部３０からの検出出力信号ＴＤＲ及び回転量検出部３１からの検出出力信号ＴＲＲは、姿勢検出部１５に含まれた姿勢情報信号形成部３２に供給され、姿勢情報信号形成部３２において、検出出力信号ＴＤＲ及びＴＲＲに基づき、映像信号形成部の本体部１１についての回転方向と回転量とをあらわす姿勢情報信号ＤＲＲが形成されて、それがメモリ部２５に供給される。
　【００２１】
　メモリ部２５には、書込制御信号ＱＷ及び読出制御信号ＱＲを送出するメモリ制御部３３が設けられており、メモリ部２５において、輝度信号処理部２４から供給されるディジタル輝度信号ＤＹＯ及び色信号処理部２７から供給されるディジタル色信号ＤＣＯと、姿勢検出部１５における姿勢情報信号形成部３２から供給される姿勢情報信号ＤＲＲとが、書込制御信号ＱＷに従って書き込まれて格納され、また、格納されたディジタル輝度信号ＤＹＯ及びディジタル色信号ＤＣＯと姿勢情報信号ＤＲＲとが、適宜、読出制御信号ＱＲに従って読み出される。
　【００２２】
　メモリ部２５から読み出されたディジタル輝度信号ＤＹＯ及びディジタル色信号ＤＣＯは、スイッチ３４における選択接点３４ａ及びスイッチ３５における選択接点３５ａに夫々供給されるとともに、映像信号補正処理部３６に供給される。また、メモリ部２５から読み出された姿勢情報信号ＤＲＲは、画像制御信号形成部３７に供給される。画像制御信号形成部３７においては、姿勢情報信号ＤＲＲがあらわす映像信号形成部の本体部１１についての回転方向と回転量とに応じた画像制御信号ＤＸＲが形成され、それが合成部３８に供給される。
　【００２３】
　一方、図１に示される例にあっては、画像表示部１７に内蔵された姿勢検出部１９が、回転方向検出部４０及び回転量検出部４１を含むものとされている。回転方向検出部４０は、画像表示部１７が基準姿勢に対して回転した姿勢をとるものとされるとき、画像表示部１７の回転方向を検出して、検出された回転方向をあらわす検出出力信号ＴＤＭを送出し、また、回転量検出部４１は、基準姿勢に対して回転した姿勢をとるものとされた画像表示部１７についての、例えば、回転角度をもってあらわされる回転量を検出して、検出された回転量をあらわす検出出力信号ＴＲＭを送出する。
　【００２４】
　回転方向検出部４０からの検出出力信号ＴＤＭ及び回転量検出部４１からの検出出力信号ＴＲＭは、姿勢検出部１９に含まれた姿勢情報信号形成部４２に供給され、姿勢情報信号形成部４２において、検出出力信号ＴＤＭ及びＴＲＭに基づき、画像表示部１７についての回転方向と回転量とをあらわす姿勢情報信号ＤＭＭが形成されて、それが画像制御信号形成部４３に供給される。画像制御信号形成部４３においては、姿勢情報信号ＤＭＭがあらわす画像表示部１７についての回転方向と回転量とに応じた画像制御信号ＤＸＭが形成され、それが合成部３８に供給される。
　【００２５】
　合成部３８においては、画像制御信号形成部３７からの映像信号形成部の本体部１１についての回転方向と回転量とに応じた画像制御信号ＤＸＲと、画像制御信号形成部４３からの画像表示部１７についての回転方向と回転量とに応じた画像制御信号ＤＸＭとが合成されて、合成画像制御信号ＤＸが形成され、それが映像信号補正処理部３６に供給される。
　【００２６】
　そして、映像信号補正処理部３６において、ディジタルカラー映像信号を形成するディジタル輝度信号ＤＹＯ及びディジタル色信号ＤＣＯに、合成画像制御信号ＤＸによって、姿勢情報信号ＤＲＲがあらわす映像信号形成部の本体部１１についての回転方向と回転量とに応じ、さらに、姿勢情報信号ＤＭＭがあらわす画像表示部１７についての回転方向と回転量とにも応じた補正が加えられる。斯かるディジタル輝度信号ＤＹＯ及びディジタル色信号ＤＣＯに対する補正は、ディジタル輝度信号ＤＹＯ及びディジタル色信号ＤＣＯによりあらわされる被写体像を、姿勢検出部１５により検出された映像信号形成部の本体部１１の姿勢に応じて、例えば、映像信号形成部の本体部１１についての回転方向と同じ回転方向に映像信号形成部の本体部１１についての回転量と同じ回転量だけ回転させるとともに、姿勢検出部１９により検出された画像表示部１７の姿勢に応じて、例えば、画像表示部１７についての回転方向とは逆の回転方向に画像表示部１７についての回転量と同じ回転量だけ回転させることになるものとされる。
　【００２７】
　映像信号補正処理部３６からは、補正されたディジタル輝度信号ＤＹＲ及びディジタル色信号ＤＣＲが得られて、それらがスイッチ３４における選択接点３４ｂ及びスイッチ３５における選択接点３５ｂに夫々供給される。スイッチ３４及び３５は、各々の可動接点、即ち、可動接点３４ｃ及び可動接点３５ｃが連動するものとされている。
　【００２８】
　スイッチ３４において可動接点３４ｃが選択接点３４ａに接続されるとともに、スイッチ３５において可動接点３５ｃが選択接点３５ａに接続されるときには、メモリ部２５から読み出されたディジタル輝度信号ＤＹＯ及びディジタル色信号ＤＣＯが、夫々、スイッチ３４における可動接点３４ｃ及びスイッチ３５における可動接点３５ｃに得られる。そして、スイッチ３４における可動接点３４ｃに得られるディジタル輝度信号ＤＹＯは、Ｄ／Ａ変換部４５によってアナログ化されて輝度信号ＳＹとされ、また、スイッチ３５における可動接点３５ｃに得られるディジタル色信号ＤＣＯは、Ｄ／Ａ変換部４６によってアナログ化されて色信号ＳＣとされる。
　【００２９】
　一方、スイッチ３４において可動接点３４ｃが選択接点３４ｂに接続されるとともに、スイッチ３５において可動接点３５ｃが選択接点３５ｂに接続されるときには、映像信号補正処理部３６から得られる補正されたディジタル輝度信号ＤＹＲ及びディジタル色信号ＤＣＲが、夫々、スイッチ３４における可動接点３４ｃ及びスイッチ３５における可動接点３５ｃに得られる。そして、スイッチ３４における可動接点３４ｃに得られる補正されたディジタル輝度信号ＤＹＲは、Ｄ／Ａ変換部４５によってアナログ化されて輝度信号ＳＹとされ、また、スイッチ３５における可動接点３５ｃに得られる補正されたディジタル色信号ＤＣＲは、Ｄ／Ａ変換部４６によってアナログ化されて色信号ＳＣとされる。
　【００３０】
　このようにして、ディジタル輝度信号ＤＹＯもしくは補正されたディジタル輝度信号ＤＹＲに基づいて得られる輝度信号ＳＹ、及び、ディジタル色信号ＤＣＯもしくは補正されたディジタル色信号ＤＣＲに基づいて得られる色信号ＳＣは、カラー映像信号を形成するものであって、画像表示部１７に供給されるとともに、映像信号出力端子４７及び４８に導出される。従って、スイッチ３４，スイッチ３５，Ｄ／Ａ変換部４５及びＤ／Ａ変換部４６を含む部分は、メモリ部２５から読み出されたディジタル輝度信号ＤＹＯ及びディジタル色信号ＤＣＯにより構成されるディジタルカラー映像信号を画像表示部１７に供給する状態、及び、映像信号補正処理部３６から得られる補正されたディジタル輝度信号ＤＹＲ及びディジタル色信号ＤＣＲにより構成される補正されたディジタルカラー映像信号を画像表示部１７に供給する状態を、選択的にとる映像信号供給部を形成していることになる。
　【００３１】
　画像表示部１３においては、スイッチ３４において可動接点３４ｃが選択接点３４ａに接続されるとともに、スイッチ３５において可動接点３５ｃが選択接点３５ａに接続されるもとにあっては、ディジタル輝度信号ＤＹＯに基づく輝度信号ＳＹ及びディジタル色信号ＤＣＯに基づく色信号ＳＣにより形成されるカラー映像信号があらわす画像が再生表示され、また、スイッチ３４において可動接点３４ｃが選択接点３４ｂに接続されるとともに、スイッチ３５において可動接点３５ｃが選択接点３５ｂに接続されるもとにあっては、補正されたディジタル輝度信号ＤＹＲに基づく輝度信号ＳＹ及び補正されたディジタル色信号ＤＣＲに基づく色信号ＳＣにより形成されるカラー映像信号があらわす画像が再生表示される。
　【００３２】
　画像表示部１７において再生表示される、ディジタル輝度信号ＤＹＯに基づく輝度信号ＳＹ及びディジタル色信号ＤＣＯに基づく色信号ＳＣにより形成されるカラー映像信号があらわす画像は、撮像信号発生部１４における固体撮像部２０により撮像された被写体の像がそのまま表示される画像となり、一方、画像表示部１７において再生表示される、補正されたディジタル輝度信号ＤＹＲに基づく輝度信号ＳＹ及び補正されたディジタル色信号ＤＣＲに基づく色信号ＳＣにより形成されるカラー映像信号があらわす画像は、撮像信号発生部１４における固体撮像部２０により撮像された被写体の像が、映像信号形成部の本体部１１の姿勢に応じて、例えば、映像信号形成部の本体部１１についての回転方向と同じ回転方向に映像信号形成部の本体部１１についての回転量と同じ回転量だけ回転せしめられるとともに、画像表示部１７の姿勢に応じて、例えば、画像表示部１７についての回転方向とは逆の回転方向に画像表示部１７についての回転量と同じ回転量だけ回転せしめられて表示されることになる画像となる。
　【００３３】
　このようにして、図１に示される例にあっては、映像信号形成部の本体部１１が基準姿勢あるいは基準姿勢に対して回転した姿勢をとり、かつ、画像表示部１７が基準姿勢あるいは基準姿勢に対して回転した姿勢をとる状態のもとで、撮像信号発生部１４における固体撮像部２０により撮像された被写体の像をあらわすディジタルカラー映像信号を形成するディジタル輝度信号ＤＹＯ及びディジタル色信号ＤＣＯと、映像信号形成部の本体部１１の姿勢をあらわす姿勢情報信号ＤＲＲ及び画像表示部１７の姿勢をあらわす姿勢情報信号ＤＭＭとが得られ、これらのディジタル輝度信号ＤＹＯ及びディジタル色信号ＤＣＯ、さらには、姿勢情報信号ＤＲＲ及び姿勢情報信号ＤＭＭに基づいて、撮像信号発生部１４における固体撮像部２０により撮像された被写体の像をそのままあらわすカラー映像信号、あるいは、撮像信号発生部１４における固体撮像部２０により撮像された被写体の像を、映像信号形成部の本体部１１の姿勢に応じて、例えば、映像信号形成部の本体部１１についての回転方向と同じ回転方向に映像信号形成部の本体部１１についての回転量と同じ回転量だけ回転せしめられるとともに、画像表示部１７の姿勢に応じて、例えば、画像表示部１７についての回転方向とは逆の回転方向に画像表示部１７についての回転量と同じ回転量だけ回転せしめられたものとしてあらわすカラー映像信号、を形成する輝度信号ＳＹ及び色信号ＳＣが得られることになるとともに、輝度信号ＳＹ及び色信号ＳＣに基づく画像の再生表示が行われる。
　【００３４】
　斯かるもとで、例えば、図６のＡに示される如くの被写体ＯＢに関して、図６のＢに示される如くに、映像信号形成部がその本体部１１が基準姿勢をとるとともに、画像表示部１７も基準姿勢をとる状態とされたもとで、撮像信号発生部１４における固体撮像部２０による被写体ＯＢについての撮像が行われると、被写体ＯＢが、長辺方向が横方向とされた撮像枠１６内に納められて撮像されることになり、その際、ビュー・ファインダ部１３を覗く使用者は、図６のＣに示される如くの、長辺方向が横方向とされた撮像枠１６内に配された被写体ＯＢの像を見ることになる。
　【００３５】
　このとき、輝度信号処理部２４及び色信号処理部２７から、長辺方向が横方向とされた撮像枠１６内に納められた被写体ＯＢの像をあらわすディジタルカラー映像信号を形成するディジタル輝度信号ＤＹＯ及びディジタル色信号ＤＣＯが得られる。そして、スイッチ３４において可動接点３４ｃが選択接点３４ａに接続されるとともに、スイッチ３５において可動接点３５ｃが選択接点３５ａに接続される状態がとられると、Ｄ／Ａ変換部４５及び４６から、ディジタル輝度信号ＤＹＯ及びディジタル色信号ＤＣＯに基づく輝度信号ＳＹ及び色信号ＳＣが夫々得られる。その結果、基準姿勢をとる状態にある画像表示部１７において、図６のＤに示される如くに、長辺方向が横方向とされた画像表示枠１７ａ内に被写体ＯＢの像が回転せしめられることなく再生表示される。
　【００３６】
　それに対して、例えば、図７のＡに示される如くの被写体ＯＢに関して、図７のＢに示される如くに、映像信号形成部がその本体部１１が基準姿勢に対して時計回り方向に９０度だけ回転した姿勢をとり、画像表示部１７が基準姿勢をとる状態とされたもとで、撮像信号発生部１４における固体撮像部２０による被写体ＯＢについての撮像が行われると、撮像枠１６も映像信号形成部の本体部１１の回転に伴って時計回り方向に９０度だけ回転せしめられ、被写体ＯＢが、長辺方向が縦方向とされた撮像枠１６内に納められて撮像されることになり、その際、ビュー・ファインダ部１３を覗く使用者は、図７のＣに示される如くの、長辺方向が縦方向とされた撮像枠１６内に配された被写体ＯＢの像を見ることになる。
　【００３７】
　そして、輝度信号処理部２４及び色信号処理部２７から、長辺方向が縦方向とされた撮像枠１６内に納められた被写体ＯＢの像をあらわすディジタルカラー映像信号を形成するディジタル輝度信号ＤＹＯ及びディジタル色信号ＤＣＯが得られる。このとき、スイッチ３４において可動接点３４ｃが選択接点３４ａに接続されるとともに、スイッチ３５において可動接点３５ｃが選択接点３５ａに接続される状態がとられると、画像表示部１７において、被写体ＯＢの像の適正な再生表示はなされない。
　【００３８】
　即ち、スイッチ３４において可動接点３４ｃが選択接点３４ａに接続されるとともに、スイッチ３５において可動接点３５ｃが選択接点３５ａに接続される状態がとられるもとでは、Ｄ／Ａ変換部４５及び４６から、ディジタル輝度信号ＤＹＯ及びディジタル色信号ＤＣＯに基づく輝度信号ＳＹ及び色信号ＳＣが夫々得られるので、基準姿勢をとる状態にある画像表示部１７において、図７のＤに示される如くに、長辺方向が横方向とされた画像表示枠１７ａ内に被写体ＯＢの像が反時計回り方向に９０度だけ回転せしめられて再生表示されることになってしまう。
　【００３９】
　斯かる際には、映像信号補正処理部３６から、ディジタル輝度信号ＤＹＯ及びディジタル色信号ＤＣＯに、姿勢情報信号ＤＲＲに基づく画像制御信号ＤＸＲと姿勢情報信号ＤＭＭに基づく画像制御信号ＤＸＭとが合成されて得られる合成画像制御信号ＤＸによる補正が加えられて、ディジタル輝度信号ＤＹＯ及びディジタル色信号ＤＣＯがあらわす被写体ＯＢの像を、映像信号形成部の本体部１１の姿勢に応じて、時計回り方向に９０度だけ回転せしめられたものとしてあらわす補正されたディジタル輝度信号ＤＹＲ及びディジタル色信号ＤＣＲが得られている。そして、スイッチ３４において可動接点３４ｃが選択接点３４ｂに接続されるとともに、スイッチ３５において可動接点３５ｃが選択接点３５ｂに接続される状態がとられると、Ｄ／Ａ変換部４５及び４６から、補正されたディジタル輝度信号ＤＹＲ及びディジタル色信号ＤＣＲに基づく輝度信号ＳＹ及び色信号ＳＣが夫々得られる。
　【００４０】
　その結果、基準姿勢をとる状態にある画像表示部１７において、図７のＥに示される如くに、長辺方向が横方向とされた画像表示枠１７ａ内に被写体ＯＢの像が時計回り方向に９０度だけ回転せしめられて再生表示されることになり、斯かる被写体ＯＢの像は、映像信号形成部がその本体部１１が基準姿勢をとる状態とされたもとで、撮像信号発生部１４における固体撮像部２０による被写体ＯＢについての撮像が行われる場合に画像表示部１７において再生表示される、図６のＤに示される被写体ＯＢの像と同じ状態におかれたものとされる。
　【００４１】
　また、映像信号形成部がその本体部１１が基準姿勢をとる状態とされたもとで、撮像信号発生部１４における固体撮像部２０による被写体ＯＢについての撮像が行われ、それにより、輝度信号処理部２４及び色信号処理部２７から、図８のＡに示される如くに、長辺方向が横方向とされた撮像枠１６内に納められた被写体ＯＢの像をあらわすディジタルカラー映像信号を形成するディジタル輝度信号ＤＹＯ及びディジタル色信号ＤＣＯが得られるとき、図８のＢに示される如くに、画像表示部１７が基準姿勢をとるものとされている場合には、スイッチ３４において可動接点３４ｃが選択接点３４ａに接続されるとともに、スイッチ３５において可動接点３５ｃが選択接点３５ａに接続される状態がとられると、Ｄ／Ａ変換部４５及び４６からディジタル輝度信号ＤＹＯ及びディジタル色信号ＤＣＯに基づく輝度信号ＳＹ及び色信号ＳＣが夫々得られて、それらが画像表示部１７に供給され、基準姿勢をとる状態にある画像表示部１７において、図８のＣに示される如くに、長辺方向が横方向とされた画像表示枠１７ａ内に被写体ＯＢの像が回転せしめられることなく再生表示される。
　【００４２】
　それに対して、映像信号形成部がその本体部１１が基準姿勢をとる状態とされたもとで、撮像信号発生部１４における固体撮像部２０による被写体ＯＢについての撮像が行われ、それにより、輝度信号処理部２４及び色信号処理部２７から、図９のＡに示される如くに、長辺方向が横方向とされた撮像枠１６内に納められた被写体ＯＢの像をあらわすディジタルカラー映像信号を形成するディジタル輝度信号ＤＹＯ及びディジタル色信号ＤＣＯが得られるとき、図９のＢに示される如くに、画像表示部１７が基準姿勢に対して反時計回り方向に９０度だけ回転した姿勢をとるものとされている場合には、スイッチ３４において可動接点３４ｃが選択接点３４ａに接続されるとともに、スイッチ３５において可動接点３５ｃが選択接点３５ａに接続される状態がとられると、画像表示部１７において被写体ＯＢの像についての適正な再生表示がなされない。
　【００４３】
　即ち、スイッチ３４において可動接点３４ｃが選択接点３４ａに接続されるとともに、スイッチ３５において可動接点３５ｃが選択接点３５ａに接続される状態のもとでは、Ｄ／Ａ変換部４５及び４６からディジタル輝度信号ＤＹＯ及びディジタル色信号ＤＣＯに基づく輝度信号ＳＹ及び色信号ＳＣが夫々得られて、それらが画像表示部１７に供給されるので、基準姿勢に対して反時計回り方向に９０度だけ回転した姿勢をとり、それに伴い、画像表示枠１７ａも反時計回り方向に９０度だけ回転せしめられて長辺方向が縦方向とされた画像表示部１７において、図９のＣに示される如くに、長辺方向が縦方向とされた画像表示枠１７ａ内に被写体ＯＢの像が反時計回り方向に９０度だけ回転せしめられて再生表示されることになってしまう。
　【００４４】
　斯かる際には、映像信号補正処理部３６から、ディジタル輝度信号ＤＹＯ及びディジタル色信号ＤＣＯに、姿勢情報信号ＤＲＲに基づく画像制御信号ＤＸＲと姿勢情報信号ＤＭＭに基づく画像制御信号ＤＸＭとが合成されて得られる合成画像制御信号ＤＸによる補正が加えられて、ディジタル輝度信号ＤＹＯ及びディジタル色信号ＤＣＯがあらわす被写体ＯＢの像を、画像表示部１７の姿勢に応じて、時計回り方向に９０度だけ回転せしめられたものとしてあらわす補正されたディジタル輝度信号ＤＹＲ及びディジタル色信号ＤＣＲが得られている。そして、スイッチ３４において可動接点３４ｃが選択接点３４ｂに接続されるとともに、スイッチ３５において可動接点３５ｃが選択接点３５ｂに接続される状態がとられると、Ｄ／Ａ変換部４５及び４６から、補正されたディジタル輝度信号ＤＹＲ及びディジタル色信号ＤＣＲに基づく輝度信号ＳＹ及び色信号ＳＣが夫々得られて、それらが画像表示部１７に供給される。
　【００４５】
　その結果、基準姿勢に対して反時計回り方向に９０度だけ回転した姿勢をとり、それに伴い、画像表示枠１７ａも反時計回り方向に９０度だけ回転せしめられて長辺方向が縦方向とされた画像表示部１７において、図９のＤに示される如くに、長辺方向が縦方向とされた画像表示枠１７ａ内に被写体ＯＢの像が回転せしめられることなく再生表示される。斯かる被写体ＯＢの像は、図８のＣに示される、画像表示部１７が基準姿勢をとる状態とされたもとで再生表示される被写体ＯＢの像と同じ状態におかれたものとされる。
　【００４６】
　上述の如くにして、図１に示される例にあっては、映像信号形成部の本体部１１が基準姿勢あるいは基準姿勢に対して回転した姿勢をとり、かつ、画像表示部１７が基準姿勢あるいは基準姿勢に対して回転した姿勢をとる状態のもとで、撮像信号発生部１４における固体撮像部２０による被写体についての撮像動作が行われるにあたり、スイッチ３４における可動接点３４ｃの選択接点３４ａもしくは選択接点３４ｂとの接続状態、及び、スイッチ３５における可動接点３５ｃの選択接点３５ａもしくは選択接点３５ｂとの接続状態が、適宜、制御されることにより、画像表示部１７において再生表示される画像、即ち、被写体の像が、映像信号形成部の本体部１１の姿勢変化、さらには、画像表示部１７の姿勢変化に伴う変化を伴わないものとされ、例えば、映像信号形成部の本体部１１及び画像表示部１７のうちの少なくとも一方が基準姿勢に対して回転した姿勢をとる場合においても、画像表示部１７において再生表示される被写体の像が、映像信号形成部の本体部１１及び画像表示部１７の両者が基準姿勢をとる場合と同様の状態にあるものとされることになる。
　【００４７】
　【発明の効果】
　以上の説明から明らかな如く、本発明に係る撮像及び画像表示装置にあっては、映像信号形成部によって被写体像をあらわす映像信号が形成され、画像表示部によってその映像信号に基づく画像が再生表示されるにあたり、映像信号形成部の本体部の姿勢に応じた第１の姿勢情報信号が得られるとともに、画像表示部の姿勢に応じた第２の姿勢情報信号が得られ、さらに、第１の姿勢情報信号に基づいて得られる第１の画像制御信号と第２の姿勢情報信号に基づいて得られる第２の画像制御信号とが合成部により合成されて映像信号補正処理部に供給され、映像信号補正処理部において、映像信号形成部によって形成された映像信号に、合成された第１及び第２の画像制御信号により、第１及び第２の姿勢情報信号に応じた補正が加えられて、それにより得られる補正された映像信号が画像表示部に供給され、画像表示部において、補正された映像信号があらわす画像が再生表示される状態がとられる。それにより、本発明に係る撮像及び画像表示装置によれば、画像表示部において再生表示される画像を、映像信号形成部の本体部の姿勢変化、さらには、画像表示部の姿勢変化に起因する状態変化を伴わないものとすることができ、例えば、映像信号形成部の本体部及び画像表示部のうちの少なくとも一方が基準姿勢に対して回転した姿勢をとる場合においても、画像表示部において再生表示される画像を、映像信号形成部の本体部及び画像表示部のいずれもが基準姿勢をとる場合と同様の状態におくことができる。
【図面の簡単な説明】
　【図１】
　本発明に係る撮像及び画像表示装置の一例の構成を概略的に示すブロック接続図である。
　【図２】
　図１に示される撮像及び画像表示装置の一例を構成する映像信号形成部の例における正面の外観を示す正面図である。
　【図３】
　図１に示される撮像及び画像表示装置の一例を構成する映像信号形成部の例における正面の外観を示す正面図である。
　【図４】
　図１に示される撮像及び画像表示装置の一例を構成する画像表示部の例における正面の外観を示す正面図である。
　【図５】
　図１に示される撮像及び画像表示装置の一例を構成する画像表示部の例における正面の外観を示す正面図である。
　【図６】
　図１に示される撮像及び画像表示装置の一例における撮像及び画像表示動作状態の説明に供される概念図である。
　【図７】
　図１に示される撮像及び画像表示装置の一例における撮像及び画像表示動作状態の説明に供される概念図である。
　【図８】
　図１に示される撮像及び画像表示装置の一例における撮像及び画像表示動作状態の説明に供される概念図である。
　【図９】
　図１に示される撮像及び画像表示装置の一例における撮像及び画像表示動作状態の説明に供される概念図である。
　【符号の説明】
　１１　本体部　　　１２　光学系　　　１３　ビュー・ファインダ部　　　１４　撮像信号発生部　　　１５，１９　姿勢検出部　　　１７　画像表示部　　　１８　平面表示パネル部　　　２０　固体撮像部　　　２１　ＡＧＣ部　　　２２　Ａ／Ｄ変換部　　　２３　撮像信号処理部　　　２４　輝度信号処理部　　　２５　メモリ部　　　２６，２８，４５，４６　Ｄ／Ａ変換部　　　２７　色信号処理部　　　３０，４０　回転方向検出部　　　３１，４１　回転量検出部　　　３２，４２　姿勢情報信号形成部　　　３３　メモリ制御部　　　３４，３５　スイッチ　　　３６　映像信号補正処理部　　　３７，４３　画像制御信号形成部　　　３８　合成部　　　４７，４８　映像信号出力端子